(57)【特許請求の範囲】
【請求項１】
空気調和機本体と、
該空気調和機本体の本体前面側に配置された前面熱交換器及び本体背面側に配置された熱交換器と、
前記空気調和機本体の本体内部に配設された羽根車と該本体内部を羽根車吸込領域及び羽根車吹出領域に分離するスタビライザーと羽根車吹出領域側に設けられた弧状のガイドウォールとを有し、前記羽根車吸込領域から空気を吸込み、吸込んだ空気を前記羽根車吹出領域に吹出す貫流ファンと、
前記本体前面に設けられた前面グリルと
を備えた壁掛け型の空気調和機において、
前記空気調和機本体の本体上部に上部吸込口を形成し、
前記前面グリルに吸込開口を形成し、該吸込開口の上縁に前記本体内部下方に向いて傾斜した導風壁を連設して開口が上方を向く吸込開口部を形成し、
該吸込開口部は、前記羽根車の回転軸中心と前記羽根車と前記前面熱交換器との最近接点を通る直線Ａよりも本体高さ方向下方で、かつ前記直線Ａに平行で前記羽根車と前記スタビライザーの舌部上を通る直線Ｂよりも本体高さ方向上方の間に位置させられ、
前記吸込開口部の導風壁の先端と羽根車回転中心Ｏを結ぶ直線Ｃと、前記スタビライザーの舌部における羽根車との最近接点と羽根車回転中心Ｏを結ぶ直線Ｄとの成す吸込開口部側吸込領域角度θ１は２５°〜３５°となるように形成したことを特徴とする壁掛け型の空気調和機。
【請求項２】
フィルタが前記空気調和機本体の本体内部に設けられ、前記フィルタは該フィルタと前記前面グリルとの最近接距離Ｌ１が本体高さ方向で、前記上部吸込口の前面グリル側端面から前記吸込開口部までで徐々に狭くなり、かつ前記前面熱交換器と略平行で沿うように配置させられていることを特徴とする請求項１記載の壁掛け型の空気調和機。
【請求項３】
前記吸込開口部側吸込領域角度θ１と前記直線Ｄ前記羽根車回転中心Ｏと前記ガイドウォールの最上流端部とを結ぶ直線Ｆとの成す羽根車吸込領域角度θ２との比率θ１／θ２が１８％〜２５％となるように、前記吸込開口部、前記舌部における羽根車との最近接点及び前記ガイドウォールの最上流端部を配設したことを特徴とする請求項１または２記載の壁掛け型の空気調和機。
【請求項４】
前記スタビライザーの舌部が前記羽根車を覆う範囲となる舌部角度θ３は、前記直線Ｄと、前記舌部における吹出口側面との仮想交点と羽根車回転中心Ｏを結ぶ直線Ｆとの成す角度で、θ３＝３５°以上４０°以下となるように舌部が形成されていることを特徴とする請求項１または２記載の壁掛け型の空気調和機。
【発明の詳細な説明】
【技術分野】
【０００１】
本発明は空気調和機に係り、特に本体内の前面側及び背面側に熱交換器を有し、送風手段として貫流ファンを搭載し、前面グリルの吸込用開口部の面積が本体上部に面する上部吸込口より大幅に少なく、壁面が多いフラットパネル形状で、吹出口を前面下方に有する壁掛け型の空気調和機に関するものである。
【背景技術】
【０００２】
従来の壁掛け型の空気調和機は、天面パネルの天面吸込口の他に、前面グリルの前面に面する部分の本体高さ方向の上方又は下方に吸込開口部を有している（例えば、特許文献１参照）。【０００３】
また、従来の別の壁掛け型の空気調和機は、フィルタは天面吸込口に沿い、さらに前面吸込口近傍に配置され、天面吸込口から前面グリルの吸込開口部へ至る間のフィルタと熱交換器との距離はフィルタと前面グリルとの距離より大きく配置されている（例えば、特許文献２参照）。
【先行技術文献】
【特許文献】
【０００４】
【特許文献１】特許第３５２１８１３号公報（第３頁、図１及び図２）
【特許文献２】特開２００８−１２１９６８号公報（図１）
【発明の概要】
【発明が解決しようとする課題】
【０００５】
上記特許文献１に記載された従来の壁掛け型の空気調和機は、前面グリルの吸込開口部を少なくし壁面が多く、内部が見えづらいことで意匠性向上を狙い、かつ前面グリルの吸込開口部を前面グリルの一部分に限って設け、前面グリルから本体内方へ向かって伸びる気流ガイドを設け、吸込開口部を上方に向くように形成することで、それ以前の前面グリルが格子状のものよりも前面グリルからの空気量を少なくし、吸込開口部から最短距離を直進し前面熱交換器へ流入する流れを防止し、前面及び背面熱交換器全体で均一な気流を形成できるものである。
しかし、前面グリルから貫流ファンへの通風抵抗が増加して風量が減少するため、背面熱交換器からの通過風量が増加し、貫流ファンの本体上部付近での流れと翼の角度差により生じる剥離渦が生成し、回転音が生じ聴感が悪化するという問題があった。【０００６】
さらに、貫流ファン内部の舌部近傍に形成する循環渦の挙動が不安定となり、設置した部屋の空気中のホコリがフィルタで捕捉、堆積した場合、さらに通風抵抗が増加し、さらに循環渦の挙動が不安定となる。
そのため、吹出口から貫流ファンへ向かう逆流現象が生じ、特に冷房運転時に吹出口が結露し滴下することで部屋を汚す恐れがある。また最悪の場合、貫流ファンが息継ぎするような呼吸音が発生し騒音悪化する。
また、気流ガイドは、吸込開口部から最短距離を直進し前面熱交換器へ流入する流れを防止する機能を有するが、前面グリルの本体内部側面の流れを強制し、熱交換器方向へ導風する機能がなく、上部吸込口からの吸込流れは制御できず、前記循環渦の挙動も制御できず不安定で通風抵抗変化に対し風量低下が大きくなるおそれがあった。【０００７】
また、上記特許文献２に記載の従来の別の壁掛け型の空気調和機では、フィルタは天面吸込口に沿い、また前面吸込口近傍に配置され、天面吸込口から前面グリルの吸込開口部へ至る間のフィルタと熱交換器との距離はフィルタと前面グリルとの距離より大きく配置されている。
そして、部屋から吸い込まれた空気はフィルタで除塵後、熱交換器へ通風するので、フィルタにホコリが堆積する時、天面吸込口から前面グリルの吸込開口部へ至る間のフィルタと熱交換器との距離が近いため、ホコリは天面吸込口及び前面グリル吸込開口部近傍のみで除塵され、前面グリルとフィルタの距離が近い残りの領域では除塵されないため、ホコリ堆積による風量低下が短期間で生じ、頻繁にフィルタ掃除をする必要があるという問題があった。
本発明は、上記のような課題を解決するためになされたもので、貫流ファンの循環渦の挙動を安定させ、吹出口から貫流ファンへの逆流現象が生じづらく静粛な壁掛け型の空気調和機を得るものである。
【課題を解決するための手段】
【０００８】
本発明に係る壁掛け型の空気調和機は、空気調和機本体と、該空気調和機本体の本体前面側に配置された前面熱交換器及び本体背面側に配置された熱交換器と、前記空気調和機本体の本体内部に配設された羽根車と該本体内部を羽根車吸込領域及び羽根車吹出領域に分離するスタビライザーと羽根車吹出領域側に設けられた弧状のガイドウォールとを有し、前記羽根車吸込領域から空気を吸込み、吸込んだ空気を前記羽根車吹出領域に吹出す貫流ファンと、前記本体前面に設けられた前面グリルとを備えた壁掛け型の空気調和機において、前記空気調和機本体の本体上部に上部吸込口を形成し、前記前面グリルに吸込開口を形成し、該吸込開口の上縁に前記本体内部下方に向いて傾斜した導風壁を連設して開口が上方を向く吸込開口部を形成し、該吸込開口部は、前記羽根車の回転軸中心と前記羽根車と前記前面熱交換器との最近接点を通る直線Ａよりも本体高さ方向下方で、かつ前記直線Ａに平行で前記羽根車と前記スタビライザーの舌部上を通る直線Ｂよりも本体高さ方向上方の間に位置させられ、前記吸込開口部の導風壁の先端と羽根車回転中心Ｏを結ぶ直線Ｃと、前記スタビライザーの舌部における羽根車との最近接点と羽根車回転中心Ｏを結ぶ直線Ｄとの成す吸込開口部側吸込領域角度θ１は２５°〜３５°となるように形成したことを特徴とする。
【発明の効果】
【０００９】
本発明の壁掛け型の空気調和機においては、空気調和機本体の本体上部に上部吸込口を形成し、前記前面グリルに吸込開口を形成し、該吸込開口の上縁に前記本体内部下方に向いて傾斜した導風壁を連設して開口が上方を向く吸込開口部を形成し、該吸込開口部は、前記羽根車の回転軸中心と前記羽根車と前記前面熱交換器との最近接点を通る直線Ａよりも本体高さ方向下方で、かつ前記直線Ａに平行で前記羽根車と前記スタビライザーの舌部上を通る直線Ｂよりも本体高さ方向上方の間に位置させられているので、吸込開口部から内部に吸込空間が確保されて吸い込みやすく風量確保ができ、吸込開口部の導風壁での流れが貫流ファンの舌部近傍に形成される循環渦に近くなるため、循環渦へ流れが供給しやすいことにより挙動が安定し、吹出口から貫流ファンへ向う逆流現象が生じづらい結果、冷房運転時に吹出口が結露し滴下することで部屋を汚す恐れがなく高品質な空気調和機が得られる。
また、前面グリルに設けられる吸込開口部は、開口が上方を向き、吸込開口部の導風壁は本体内部下方を向いているため、前面熱交換器がユーザーから見えず意匠性が良い。
【図面の簡単な説明】
【００１０】
【図１】本発明の実施の形態１の壁掛け型の空気調和機の外観を示す斜視図。
【図２】同空気調和機を示す縦断面図。
【図３】同空気調和機の前面グリルの吸込開口部付近を拡大した縦断面図。
【図４】同空気調和機の吸い込まれた空気の流れを示す縦断面図。
【図５】吸込開口部側領域角度θ１と風量低下率の関係を示すグラフ。
【図６】吸込開口部側領域角度θ１と騒音値の関係を示すグラフ。
【図７】吸込開口部側領域角度θ１と羽根車吸込領域角度θ２との比と風量低下率の関係を示すグラフ。
【図８】吸込開口部側領域角度θ１と羽根車吸込み領域角度θ２との比と騒音値の関係を示すグラフ。
【図９】舌部領域角度θ３と風量低下率の関係を示すグラフ。
【図１０】舌部領域角度θ３と騒音値の関係を示すグラフ。
【発明を実施するための形態】
【００１１】
実施の形態１．
図１は本発明の実施の形態１の壁掛け型の空気調和機の外観を示す斜視図、図２は同空気調和機を示す縦断面図、図３は同空気調和機の前面グリルの吸込開口部付近を拡大した縦断面図、図４は同空気調和機の吸い込まれた空気の流れを示す縦断面図である。
図１において、本発明の実施の形態１に係る空気調和機の空気調和機本体１は、空調される部屋１１の壁１１ａに設置されている。また、空気調和機本体１の本体前面１ａには取り外し可能な前面グリル６が取り付けられ、前面グリル６には吸込開口部２ａが形成されている。
また、図２において、空気調和機本体１の本体上部１ｂには上部吸込口２ｂと、ホコリを除塵するフィルタ５の一部と、空気を冷暖房する熱交換器７及び前面熱交換器７ａの一部が配設されている。そして、空気調和機本体１の内部で、本体上部１ｂの下流側には送風機である貫流ファン８が配設されている。
【００１２】
その貫流ファン８は、図示しないモータで駆動される羽根車８ａと、羽根車吸込領域Ｅ１と羽根車吹出領域Ｅ２を分離する舌部９ａ及び熱交換器７から滴下される水滴を一時貯水するドレンパン９ｂを有するスタビライザー９と、羽根車８ａの羽根車吹出領域Ｅ２側に設けられた弧状のガイドウォール１０で構成されている。
さらに、吹出口３には上下風向ベーン４ａ、左右風向ベーン４ｂが回動自在に取り付けられている。
【００１３】
また、図３に示すように、前面グリル６に形成される吸込開口部２ａは、貫流ファン８の羽根車８ａの回転軸中心Ｏと羽根車８ａと前面熱交換器７ａとの最近接点７ａｏを通る直線Ａよりも本体高さ方向下方で、かつ前記直線Ａに平行で羽根車８ａとスタビライザー９の舌部９ａとの最近接点である舌部上の点９ａｏを通る直線Ｂよりも本体高さ方向上方の間に形成されている。
この吸込開口部２ａは、前面グリル６に吸込開口を形成し、該吸込開口の上縁に本体内部下方を向いて傾斜した導風壁６ａを連設して開口が上方を向くように形成されている。なお、吸込開口部２ａの本体両側部は壁で形成されている。
【００１４】
そして、図２のように、フィルタ５の前面熱交換器７ａ側は、本体高さ方向での前面グリル６内面とフィルタ５との最近接距離Ｌ１が上部吸込口２ｂの前面グリル６側端面２ｂａから吸込開口部２ａの高さまでで徐々に狭くなり、かつ前面熱交換器７ａ付近のフィルタ５は、前面熱交換器７ａと略平行で沿うように配置されている。
【００１５】
また、図２、図３のように、前面グリル６の吸込開口部２ａの内方端２ａ１と羽根車回転中心Ｏを結ぶ直線Ｃと、舌部９ａの羽根車８ａとの最近接点９ａｏと羽根車回転中心Ｏを結ぶ直線Ｄとの成す吸込開口部側吸込領域角度θ１と、前記直線Ｄと羽根車回転中心Ｏとガイドウォール１０の最上流部である巻き始め端部１０ａ１とを結ぶ直線Ｅとの成す羽根車吸込領域角度θ２は、所定の割合となるように吸込開口部２ａ、舌部最近接点９ａｏ、ガイドウォール巻き始め部１０ａを配設している。
さらに、スタビライザー９の舌部９ａが貫流ファン８の羽根車８ａを覆う範囲となる舌部角度θ３は、前記直線Ｄと舌部９ａにおける吹出口側面９ｃとの仮想交点９ｄと羽根車回転中心Ｏを結ぶ直線Ｆとの成す角度で、所定角度となるように舌部９ａは形成されている。
【００１６】
次に、本発明の実施の形態１の空気調和機の動作について説明する。
貫流ファン８のモータに電源基板より通電されると、貫流ファン８の羽根車８ａが回転する。そうすると、本体前面１ａの前面グリル６の吸込開口部２ａ及び本体上部１ｂの上部吸込口２ｂから部屋１１の空気が吸込まれ、フィルタ５で部屋のホコリを除塵された後、熱交換器７で空気は加熱され暖房、または冷却され冷房、除湿のいずれかがされ、貫流ファン８の羽根車８ａへ吸込まれる。
その後、羽根車８ａから吹出された空気は、弧状のガイドウォール１０に誘導されて吹出口３へ向かい、部屋１１へ吹出されることで空調される。この際、上下風向ベーン４ａ、左右風向ベーン４ｂにより吹出し空気を上下、左右方向へ風向制御することで部屋１１全体に風を流し温度ムラの抑制を図っている。
【００１７】
このとき、図４のように、前面グリル６に開口した吸込開口部２ａは、貫流ファン８の羽根車８ａの回転軸中心Ｏと羽根車８ａと前面熱交換器７ａとの最近接点７ａｏを通る直線Ａよりも本体高さ方向下方で、かつ前記直線Ａに平行で羽根車８ａと舌部９ａとの最近接点である舌部上の点９ａｏを通る直線Ｂよりも本体高さ方向上方の間に形成され、かつ本体内部下方へ向いて傾斜した導風壁６ａを有する形状であるので、本体上部吸込口２ｂの前面側から吸い込まれた空気の一部の流れは、圧力の低い貫流ファン８の循環渦Ｇがある前面熱交換器７ａの下方へ向けて流れ、導風壁６ａによりファン内部方向へ変向され、フィルタ５、前面熱交換器７ａを通過し羽根車８ａへ吸い込まれる。
【００１８】
また、前面グリル６に形成された吸込開口部２ａにおけるフィルタ５近傍まで延びる導風壁６ａにより、空気の流れが羽根車８ａの内部方向へ変向されることで、導風壁６ａがフィルタ５近傍まで伸びない場合のように上部吸込口２ｂからの流れがフィルタ５と導風壁６ａの隙間を通り下方へ流れ、吸込開口部２ａからの吸込空間が確保できず吸込まない現象は起こらず、本実施の形態１では吸込開口部２ａから内部に吸込空間が確保されることで、吸い込みやすく風量確保ができる。
【００１９】
さらに、吸込開口部２ａが前記直線Ａよりも上方で上部吸込口２ｂの方へ形成された場合は、導風壁６ａでの流れの変向が舌部９ａ近傍に形成される循環渦Ｇの遠方で成され、循環渦Ｇに流れが供給されづらいので挙動が安定せず、また前面熱交換器７ａの下方へ流れづらいので、前面グリル６の吸込開口部２ａを大きくしないと前面熱交換器７ａの下方へ十分風量が流れない。
その結果、前面熱交換器７ａの性能が悪化してしまう。また吸込開口部２ａに対し流路が広すぎて流れが不安定となるため、ホコリがフィルタ５に堆積し、吹出口３へ逆流するまでの通風抵抗増加量が小さく、少しのホコリで逆流してしまう。
【００２０】
さらに、吸込開口部２ａが前記直線Ｂよりも下方の場合、舌部９ａの羽根車との最近接部９ａｏよりも下方となり、導風壁６ａも前記最近接部９ａｏより同等以下の高さ位置となり流れを制御しないため、吸込開口部２ａがない場合と同様に効果が小さい。
また、吸込開口部側吸込領域角度θ１が小さすぎる場合、吸込開口部２ａから舌部９ａまでの流路が狭くなり、羽根車８ａへの吸込風速が増加することで騒音悪化してしまう。
【００２１】
よって、本実施の形態１により、貫流ファン８の舌部９ａ近傍に形成される循環渦Ｇへ流れが供給しやすいので挙動が安定し、設置した部屋１１の空気中のホコリがフィルタ５で捕捉、堆積した場合、さらに通風抵抗が増加しても循環渦Ｇの挙動が安定維持され、吹出口３から貫流ファン８へ向かう逆流現象が生じづらい。
その結果、冷房運転時に吹出口３が結露し滴下することで部屋を汚す恐れがなく、高品質な空気調和機が得られる。
また、吸込開口部２ａは上方に開口し、また前面熱交換器７ａ側に導風壁６ａが形成され、前面熱交換器７ａがユーザーから見えず意匠性が良い。
【００２２】
また、フィルタ５は、前面熱交換器７ａ側において、本体高さ方向での前面グリル６内面とフィルタ５との最近接距離Ｌ１が上部吸込口２ｂの前面グリル側端面２ｂａから吸込開口部２ａの高さまで徐々に狭くなっているので、風路面積の急激な増減がなく、風路内で不安定渦が発生せず損失が小さい。
さらに、前面熱交換器７ａ付近のフィルタ５は、主に前面熱交換器７ａと略平行で沿うように配設されているので、上部吸込口２ｂからの空気の流れ中のホコリが除去され、フィルタ５に堆積しても、従来の上部吸込口２ｂ近傍にフィルタ５が沿っている場合のようにホコリがフィルタ５の上部吸込口２ｂ近傍に局所的に堆積し急激に通風抵抗が増加することはなく、導風壁６ａ付近まで均一にホコリが堆積するようになるので、運転時間に対し風量低下が小さく、羽根車８ａを駆動するモータの消費電力の増加も小さいため省エネな空気調和機が得られる。
【００２３】
そして、前面グリル６の吸込開口部２ａの内方端２ａ１と羽根車回転中心Ｏを結ぶ直線Ｃと、スタビライザー９の舌部９ａにおける羽根車８ａとの最近接点９ａｏと羽根車回転中心Ｏを結ぶ直線Ｄとの成す吸込開口部側吸込領域角度θ１を所定角度とすることで、循環渦への風量を調整でき挙動が安定化する。
しかし、吸込開口部側吸込領域角度θ１が大きすぎる場合、吸込開口部２ａから循環渦Ｇまでの経路が長く、吸込開口部２ａに対し流路が広すぎ、空気の流れが不安定となるため、ホコリが少量フィルタ５に堆積しても吹出口３で逆流しやすい。
【００２４】
また、吸込開口部側吸込領域角度θ１が小さすぎる場合、吸込開口部２ａから舌部９ａまでの流路が狭く、羽根車８ａへの吸込風速が増加することで騒音悪化してしまう。
そこで、前記吸込開口部側吸込領域角度θ１に最適範囲が存在する。
図５のグラフは吸込開口部側吸込領域角度θ１と運転開始１ヶ月後風量低下率の関係を示したもので、図５のグラフのように吸込開口部側吸込領域角度θ１が３５°以下であれば少なくとも風量低下率は低くでき安定した運転ができる。
また、図６のグラフは吸込開口部側吸込領域角度θ１と風量同一時の騒音値の関係を示したもので、図６のグラフのように吸込開口部側吸込領域角度θ１が２５°〜３５°であれば低騒音である。
以上の結果、少なくともθ１＝２５°〜３５°の範囲であれば風量低下率が低く、かつ低騒音で安定した運転が継続できる。
【００２５】
また、吸込開口部側吸込領域角度θ１と、貫流ファン８の羽根車吸込領域Ｅ１となる前記直線Ｄと羽根車回転中心Ｏとガイドウォール１０の最上流部である巻き始め端部１０ａ１とを結ぶ直線Ｆとの成す羽根車吸込領域角度θ２は、所定の比率θ１／θ２となるように吸込開口部２ａ、舌部最近接点９ａｏ、ガイドウォール１０の巻き始め部１０ａを配設することで、循環渦Ｇが安定し、かつ羽根車吸込領域Ｅ１側全体で風速分布が均一化でき低騒音である。
【００２６】
しかし、前記比率θ１／θ２が大きすぎると、吸込開口部２ａから循環渦Ｇまでの経路が長く、吸込開口部２ａに対し流路が広すぎ、流れが不安定となるため、ホコリが少量フィルタに堆積しても吹出口３で逆流しやすい。
逆に、θ１／θ２が小さすぎると、舌部９ａ付近で吸込流れが増速、かつその他の吸込領域で流路が広すぎ、流れが不安定となり騒音悪化する。
そこで、前記θ１／θ２の比率に最適範囲が存在する。
図７のグラフは比率θ１／θ２に対する運転開始１ヶ月後風量低下率の関係を示したもので、図７のグラフのように少なくとも、比率θ１／θ２＝２５％以下であれば、少なくとも風量低下率は低くでき安定した運転ができる。
また、図８のグラフは比率θ１／θ２に対する風量同一時の騒音値の関係を示したもので、図８のグラフのように、少なくとも比率θ１／θ２＝１８％〜２５％であれば低騒音である。
よって、比率θ１／θ２＝１８％〜２５％であれば、風量低下率は低く、かつ低騒音である。
【００２７】
さらに、スタビライザー９の舌部９ａが貫流ファンの羽根車８ａを覆う範囲となる舌部領域角度θ３は、前記直線Ｄと、舌部９ａにおける吹出口側面９ｂとの仮想交点９ｃと羽根車回転中心Ｏを結ぶ直線Ｆとの成す角度で所定角度となるように舌部９ａを形成することで循環渦Ｇが舌部９ａ近傍に安定し、羽根車吹出側領域Ｅ２の面積が循環渦Ｇにより狭められることが無く吹出風速の低減が図れるので、低騒音化が可能である。
しかし、前記舌部領域角度θ３が小さすぎると循環渦Ｇと舌部９ａの面する領域が縮小し、フィルタ５にホコリが堆積して通風抵抗が増加した場合、循環渦Ｇの大きさを規制しきれず、風量低下が大きく、不安定となり吹出口３から逆流しやすい。
逆に、舌部領域角度θ３が大きすぎると、舌部９ａにより循環渦Ｇを大きくしてしまい有効風路面積を縮小させ、通過風速が増加し騒音悪化してしまう。
そこで、舌部領域角度θ３に最適範囲が存在する。
【００２８】
図９のグラフは舌部領域角度θ３と運転開始１ヶ月後風量低下率の関係を示したもので、図９のグラフのように少なくともθ３が３５°以上であれば風量低下率が小さく安定している。また、図１０のグラフは舌部領域角度θ３と風量同一時の騒音値の関係を示したもので、舌部領域角度θ３が４０°以下であれば少なくとも低騒音である。
以上の結果より、少なくとも舌部領域角度θ３が３５°以上、４０°以下であれば風量低下率が小さく、低騒音である。
【００２９】
以上のように、前面グリル６に設ける吸込開口部２ａの位置や形状及び貫流ファン８のスタビライザー９の舌部９ａの形状を規定することで、高品質、省エネ、静粛な壁掛け型の空気調和機が得られる。
また、貫流ファン８の吸込風路形状に対し、前面グリル６に設ける吸込開口部２ａ、舌部９ａの形状の関係を規定することで、貫流ファン８の循環渦Ｇの挙動を安定させることにより、フィルタ５にホコリが堆積しても風量低下しづらく、静粛な壁掛け型の空気調和機を得ることができる。
【符号の説明】
【００３０】
１  空気調和機本体、１ａ  本体前面、１ｂ  本体上部、２ａ  吸込開口部、２ａ１  吸込開口部の内方端、２ｂ  上部吸込口、３  吹出口、４ａ  上下風向ベーン、４ｂ  左右風向ベーン、５  フィルタ、６  前面グリル、６ａ  導風壁、７  熱交換器、７ａ  前面熱交換器、８  貫流ファン、８ａ  羽根車、９  スタビライザー、９ａ  舌部、９ａｏ  舌部の羽根車との最近接点、９ｂ  ドレンパン、９ｃ  スタビライザーの吹出口側面、９ｄ  舌部とスタビライザーの本体吹出口側面との仮想交点、１０  ガイドウォール、１０ａ  ガイドウォール巻き始め部、１０ａ１  ガイドウォール巻き始め端部、１１  部屋、１１ａ  部屋の壁、Ｅ１  羽根車吸込領域、Ｅ２  羽根車吹出領域、Ｇ  循環渦、Ｌ１  前面グリル内面とフィルタとの最近接距離、Ｏ  羽根車回転中心、θ１  吸込開口部側吸込領域角度、θ２  羽根車吸込領域、θ３  舌部領域角度。
【図１】
0005406930.tif 000002
【図２】
0005406930.tif 000003
【図３】
0005406930.tif 000004
【図４】
0005406930.tif 000005
【図５】
0005406930.tif 000006
【図６】
0005406930.tif 000007
【図７】
0005406930.tif 000008
【図８】
0005406930.tif 000009
【図９】
0005406930.tif 000010
【図１０】
0005406930.tif 000011